【手続補正書】
【提出日】平成24年1月18日(2012.1.18)
【手続補正１】
【補正対象書類名】特許請求の範囲
【補正対象項目名】全文
【補正方法】変更
【補正の内容】
【特許請求の範囲】
【請求項１】
圧縮符号化されたデジタル放送信号を受信する受信部と、
ハードウェア処理により、前記受信部で受信した前記デジタル放送信号を、複数の放送番組毎に順次にデコードする、マルチデコーダ部と、
前記マルチデコーダ部からの出力信号に従い、複数の放送番組を同時に動画表示するマルチ動画像表示を行う表示部とを、備えている、
ことを特徴とするマルチチャンネル表示装置。
【請求項２】
前記受信部からの前記デジタル放送信号を受け、所定の間隔でチャンネルの切替えを行う、一つの第一のチューナ部と、
前記第一のチューナ部から出力される各チャンネル毎の前記デジタル放送信号を、当該各チャンネル毎に記憶するメモリ部とを、さらに備えており、
前記マルチデコーダ部は、
前記メモリ部から出力される各チャンネル毎の前記デジタル放送信号を順次受信し、受信した各チャンネル毎の前記デジタル放送信号を順次にデコードする、
ことを特徴とする請求項１に記載のマルチチャンネル表示装置。
【請求項３】
表示モードの切替えを行うことができる、表示モード切替部を、さらに備えており、
前記表示部は、
前記表示モード切替部からの出力信号に応じて、一の放送番組のみの動画表示から、前記マルチ動画像表示に切替える、
ことを特徴とする請求項２に記載のマルチチャンネル表示装置。
【請求項４】
操作部を、さらに備えており、
前記操作部における操作により、前記表示部での前記マルチ動画像表示中の一の放送番組が選択されたとき、
前記表示部は、
前記選択されたことを示す信号に応じて、前記マルチ動画像表示から、前記選択された一の放送番組のみの動画表示に切替える、
ことを特徴とする請求項３に記載のマルチチャンネル表示装置。
【請求項５】
前記受信部からの前記デジタル放送信号を受け、チャンネルの選択を行う第二のチューナ部を、さらに備えており、
前記マルチデコーダ部は、
前記第二のチューナ部から出力される選択された所定のチャンネルの前記デジタル放送信号をデコードし、
前記表示部は、
前記第二のチューナ部で選択された前記所定のチャンネルの放送番組を動画像表示すると同時に、前記マルチ動画像表示を行う、
ことを特徴とする請求項２に記載のマルチチャンネル表示装置。
【請求項６】
前記表示部は、
複数の放送番組を各放送番組毎に区分して、前記マルチ動画像表示を行い、
前記第一のチューナ部で選択中の放送番組の前記区分部に枠を付与する、
ことを特徴とする請求項２に記載のマルチチャンネル表示装置。
【請求項７】
前記表示部は、
複数の放送番組を各放送番組毎に区分して、前記マルチ動画像表示を行い、
前記第一のチューナ部で選択中の放送番組は、前記表示部の固定区分位置に表示する、
ことを特徴とする請求項２に記載のマルチチャンネル表示装置。
【請求項８】
前記表示部は、
複数の放送番組を各放送番組毎に区分して、前記マルチ動画像表示を行い、
前記第一のチューナ部で選択中の放送番組を、他の放送番組よりも大きな区分で表示する、
ことを特徴とする請求項２に記載のマルチチャンネル表示装置。
【請求項９】
前記表示部は、
複数の放送番組を各放送番組毎に区分して、前記マルチ動画像表示を行い、
前記第一のチューナ部で選択中の放送番組を、第一のサイズの区分と前記第一のサイズより大きな第二のサイズの区分にて表示する、
ことを特徴とする請求項２に記載のマルチチャンネル表示装置。
【手続補正２】
【補正対象書類名】明細書
【補正対象項目名】００１１
【補正方法】変更
【補正の内容】
【００１１】
上記の目的を達成するために、本発明に係る請求項１に記載のマルチチャンネル表示装置は、圧縮符号化されたデジタル放送信号を受信する受信部と、ハードウェア処理により、前記受信部で受信した前記デジタル放送信号を、複数の放送番組毎に順次にデコードする、マルチデコーダ部と、前記マルチデコーダ部からの出力信号に従い、複数の放送番組を同時に動画表示するマルチ動画像表示を行う表示部とを、備えている。
【手続補正３】
【補正対象書類名】明細書
【補正対象項目名】００１２
【補正方法】変更
【補正の内容】
【００１２】
また、本発明に係る請求項２に記載のマルチチャンネル表示装置は、請求項１に記載のマルチチャンネル表示装置であって、前記受信部からの前記デジタル放送信号を受け、所定の間隔でチャンネルの切替えを行う、一つの第一のチューナ部と、前記第一のチューナ部から出力される各チャンネル毎の前記デジタル放送信号を、当該各チャンネル毎に記憶するメモリ部とを、さらに備えており、前記マルチデコーダ部は、前記メモリ部から出力される各チャンネル毎の前記デジタル放送信号を順次受信し、受信した各チャンネル毎の前記デジタル放送信号を順次にデコードする。
【手続補正４】
【補正対象書類名】明細書
【補正対象項目名】００１５
【補正方法】変更
【補正の内容】
【００１５】
また、本発明に係る請求項５に記載のマルチチャンネル表示装置は、請求項２に記載のマルチチャンネル表示装置であって、前記受信部からの前記デジタル放送信号を受け、チャンネルの選択を行う第二のチューナ部を、さらに備えており、前記マルチデコーダ部は、前記第二のチューナ部から出力される選択された所定のチャンネルの前記デジタル放送信号をデコードし、前記表示部は、前記第二のチューナ部で選択された前記所定のチャンネルの放送番組を動画像表示すると同時に、前記マルチ動画像表示を行う。
【手続補正５】
【補正対象書類名】明細書
【補正対象項目名】００２０
【補正方法】変更
【補正の内容】
【００２０】
本発明の請求項１に記載のマルチチャンネル表示装置では、マルチデコーダ部は、ハードウェア処理により、受信部で受信したデジタル放送信号を、複数の放送番組毎に順次にデコードする。そして、表示部は、マルチデコーダ部からの出力信号に従い、複数の放送番組を同時に動画表示するマルチ動画像表示を行う。
【手続補正６】
【補正対象書類名】明細書
【補正対象項目名】００２１
【補正方法】変更
【補正の内容】
【００２１】
このように、上記デコード処理はハードウェア処理により実現されるので、ソフトウェア処理によるデコード処理よりも、デコード処理の高速化を図ることができる。したがって、１つのチューナ部のみにより、表示部において複数のデジタル放送番組を同時に、しかも動画にて表示することができる。
【手続補正７】
【補正対象書類名】明細書
【補正対象項目名】００２２
【補正方法】変更
【補正の内容】
【００２２】
また、本発明に係る請求項２に記載のマルチチャンネル表示装置では、第一のチューナ部は、所定の間隔でチャンネルの切替えを行う。そして、メモリ部は、第一のチューナ部から出力される各チャンネル毎のデジタル放送信号を、当該各チャンネル毎に記憶する。そして、マルチデコーダ部は、メモリ部から出力される各チャンネル毎のデジタル放送信号を順次受信し、受信した各チャンネル毎のデジタル放送信号を順次にデコードする。
【手続補正８】
【補正対象書類名】明細書
【補正対象項目名】００２３
【補正方法】変更
【補正の内容】
【００２３】
したがって、簡易な回路構成を用いて、１つの第一のチューナ部のみにより、表示部において複数のデジタル放送番組を同時に、しかも動画にて表示することができる。また、表示部において上記マルチ動画像表示を行うのに、複数のチューナ部を必要としない。したがって、低コストおよび装置の大型化を防止しつつ、上記マルチ動画像表示を行うマルチチャンネル表示装置を提供することができる。